(57)【特許請求の範囲】
【請求項１】
給湯源の湯を浴槽側壁に接続された追い焚き循環路を通して浴槽に落とし込む配管システムを備え、追い焚き循環路には浴槽内の湯水を循環させる循環ポンプと湯水の流れを検出する流水検出センサが設けられ、また、浴槽への湯張りの湯の流量を検出する流量検出センサと、この流量検出センサの流量検出信号に基づいて湯張りの湯の積算流量を求める積算流量演算部とが設けられ、湯張り運転の制御部は指定された設定水位までの湯張りを行う実行モードの動作部の他に湯張りの条件データを記憶する記憶モードの動作部を備え、この記憶モードの動作時に給湯源側からの湯水を所定量ずつ断続的に浴槽に落とし込み、その断続の各落とし込み終了毎に循環ポンプを起動して追い焚き循環路の湯水循環の有無を前記流水検出センサにより検知する湯水循環検知部と、湯水循環検知部により湯水循環が最初に検知されたときに湯水の断続落とし込み開始時からの積算流量を積算流量演算部から取得し、予め与えられた演算式に基き追い焚き循環口センタから前記湯水循環が最初に検知されるまでの浴槽の大きさに応じた水量相当分をこの取得した積算流量から差し引いて浴槽底面から追い焚き循環口センタまでの基準水位の水量を求める基準水量演算部と、求められた基準水位水量を予めメモリに記憶されている浴槽底面から基準水位までの高さで割って浴槽の開口面積を求め、この開口面積に予め与えられた基準水位からの複数段の各高さを掛けて複数段の設定水位に対応する水量を算出記憶する設定水位水量自動設定部とを有することを特徴とする湯張り機能付給湯器。
【請求項２】
設定水位を変更するための設定水位変更指令入力部が設けられ、設定水位を指定してその指定された設定水位に達するまで湯張りがされて追い焚き又は保温のモードに移行した状態で、設定水位変更指令入力部から設定水位の変更指令が加えられて、変更したい設定水位の段が入力されたときには、現に湯張りされた設定水位水量を変更したい設定水位段の設定水位水量に変更し、他の段の設定水位水量も水位段の水位変更に応じた変更水位量だけ増減して設定水位水量自動設定部に記憶されている各段の設定水位の設定水位水量を書き換える設定水位変更部が設けられている請求項１記載の湯張り機能付給湯器。
【発明の詳細な説明】
【０００１】
【発明の属する技術分野】
本発明は、風呂の湯張り機能を備えた湯張り機能付給湯器に関するものである。
【０００２】
【従来の技術】
給湯源の給湯熱交換器で作り出した湯を追い焚き循環管路に送り込み、この追い焚き循環管路を介して浴槽内に落とし込んで自動湯張りを行う湯張り機能付給湯器が広く採用されている。
【０００３】
図９にはこの種の湯張り機能付給湯器の配管システムが示されている。同図において、風呂バーナ６の上側に追い焚き熱交換器７が設けられ、その追い焚き熱交換器７の入口側には管路１７の一端側が接続され、管路１７の他端側は循環ポンプ１８の吐出側に接続されている。この管路１７には通水の温度を検出するサーミスタ等の風呂温度センサ９が設けられている。
【０００４】
循環ポンプ18の吸込側には追い焚き循環路14の戻り管15が接続されており、循環口である戻り管15の戻り口側（入口側）は浴槽１の側壁に循環金具２を介して接続されている。この戻り管15には通水を検知してオン信号を出力する流水検出センサとしての追い焚き流水スイッチ16が設けられている。追い焚き熱交換器７の出口側には追い焚き循環路14の往管20の入口側が接続されており、往管20の出口側は循環金具２を介して浴槽側壁に接続されている。
【０００５】
また、給湯バーナ４の上側には給湯源としての給湯熱交換器５が設けられ、この給湯熱交換器５の入口側には給水管11が接続され、この給水管11は水道等の水供給源に接続されており、この給水管11にはメインの流量センサ10が介設されている。給湯熱交換器５の出口側には給湯管12が接続されており、この給湯管12は台所等の所望の給湯場所に導かれている。
【０００６】
前記給湯管12には湯張り用管21が分岐されており、この湯張り用管21には湯張りの流量を検出する流量検出センサ19が設けられている。なお、図中、33はガス管、42は入水温度センサ、43は出湯温度センサをそれぞれ示している。
【０００７】
この湯張り機能付給湯器の給湯運転と、追い焚き運転と、注湯湯張り運転とは制御装置３４によって行われており、この制御装置３４にはリモコン３５が接続されている。制御装置３４には、図８に示すように、循環金具位置を基準とし、この循環金具位置からの高さを複数段に区分した各段の設定水位が与えられており、リモコン３５の水位設定ボタン等により、この複数段の設定水位を選択的に指定して湯張りを行うことにより、指定した設定水位の湯張りが可能となっている。図８に示すような各段の設定水位は循環金具位置の水位から、例えば３０リットルという如く、比較的大きな一定水量の刻みによって与えられている。
【０００８】
この種の湯張り機能付給湯器では、リモコン35により湯張りの設定水位と設定温度を指定し、リモコン35の自動運転スイッチがオンされると、注湯電磁弁24が開けられ、給水管11から水が給湯熱交換器５に入り込む。この給水管11の通水をメインの流量センサ10が検出することにより給湯バーナ４が燃焼し、この燃焼火力でもって給湯熱交換器５を通る水が熱せられて湯になり、この湯は湯張り用管21を通って追い焚き循環路14内に入り、さらにこの追い焚き循環路14の戻り管15と往管20を通して浴槽１内に注湯される。
【０００９】
通常、給湯熱交換器５からの湯の落とし込みは予め与えられた所定の水量ずつ断続的に行われ、この断続の湯の落とし込みが終了する毎に、循環ポンプ18が短時間だけ起動され、追い焚き流水スイッチ16の信号により、浴槽１の水位が循環金具の高さ位置に達したか否かが判断される。追い焚き流水スイッチ16からオン信号が加えられたときに、浴槽水位が循環金具２に達したものと判断され、次に、指定された設定水位の水量が一気に落とし込まれて指定した設定水位の湯張りが終了する。
【００１０】
そして、この湯張りの終了後、追い焚きモードに移行し、浴槽湯水の追い焚きが行われる。この追い焚きモードでは、注湯電磁弁24が閉じられている状態で、循環ポンプ18が起動され、追い焚き循環路14を通して浴槽湯水が循環する。この循環湯水を追い焚き流水スイッチ16が検出して、風呂バーナ６の燃焼が行われ、この燃焼火力でもって追い焚き熱交換器７を通る湯水を加熱して浴槽１の湯を追い焚きする。風呂温度センサ９により、循環湯水の温度が風呂の設定温度に達したことが検知されたときに、循環ポンプ18を停止して追い焚き動作を終了する。
【００１１】
この追い焚き後、所定時間（例えば４時間）の間は保温モードとなり、例えば、30分間隔毎に循環ポンプ18が短時間起動されて浴槽湯水の循環が行われ、風呂温度センサ９により浴槽湯水の温度が検出される。この風呂温度センサ９の検出温度が予め与えた許容範囲を越えて低くなったときには、風呂バーナ６の燃焼により追い焚きが行われて浴槽湯水が風呂設定温度に高められる。このように、保温モードの期間内は、浴槽湯温は、常時、浴槽１への入浴可能状態に保たれる。
【００１２】
【発明が解決しようとする課題】
従来の器具（給湯器）においては、図８に示す各段の設定水位は、浴槽の大きさの如何にかかわらず、一律的に、比較的大きな水量の、例えば３０リットル刻みの水量で区分されているため、大きい浴槽の場合には、一番高い段の設定水位（図８の場合では設定水位５）を指定して湯張りを行っても、使用者が意図した水位よりもかなり低い水位までしか湯が張られないという事態となり、逆に、小さい浴槽の場合には、最上段の設定水位を指定して湯張りを行うと、湯が溢れてしまうという問題が生じる。
【００１３】
また、浴槽１に追い焚き循環路14を配管接続する場合、通常、施工図面では、浴槽底面から、例えば15cmの高さ位置に追い焚き循環路14の戻り管15の循環口を接続するように指定しているが、実際の施工に際しては、図面で指定された高さ位置に対して±５cm程度上下にずれて接続される場合があり、このように循環口の位置がずれて接続されると、リモコンで指定される各段の設定水位と、実際に浴槽１に張られる水位との整合性が崩れ、追い焚き循環路14の循環口が低い方向に接続されると、意図した設定水位よりも常に低めに湯が張られ、その逆に、循環口が高めに接続されると、意図した設定水位よりも常に高めに湯が張られるという問題があった。
【００１４】
本発明は上記従来の課題を解決するためになされたものであり、その目的は、浴槽の大きさを器具自身が検知し、浴槽の大きさに応じて各段の設定水位を自動的に設定し、また、追い焚き循環路の循環口の配管接続位置が上下にずれても、そのずれに応じて設定水位を意図する水位に変更することが可能な湯張り機能付給湯器を提供することにある。
【００１５】
【課題を解決するための手段】
本発明は上記目的を達成するために、次のように構成されている。すなわち、第１の発明の湯張り機能付給湯器は、給湯源の湯を浴槽側壁に接続された追い焚き循環路を通して浴槽に落とし込む配管システムを備え、追い焚き循環路には浴槽内の湯水を循環させる循環ポンプと湯水の流れを検出する流水検出センサが設けられ、また、浴槽への湯張りの湯の流量を検出する流量検出センサと、この流量検出センサの流量検出信号に基づいて湯張りの湯の積算流量を求める積算流量演算部とが設けられ、湯張り運転の制御部は指定された設定水位までの湯張りを行う実行モードの動作部の他に湯張りの条件データを記憶する記憶モードの動作部を備え、この記憶モードの動作時に給湯源側からの湯水を所定量ずつ断続的に浴槽に落とし込み、その断続の各落とし込み終了毎に循環ポンプを起動して追い焚き循環路の湯水循環の有無を前記流水検出センサにより検知する湯水循環検知部と、湯水循環検知部により湯水循環が最初に検知されたときに湯水の断続落とし込み開始時からの積算流量を積算流量演算部から取得し、予め与えられた演算式に基き追い焚き循環口センタから前記湯水循環が最初に検知されるまでの浴槽の大きさに応じた水量相当分をこの取得した積算流量から差し引いて浴槽底面から追い焚き循環口センタまでの基準水位の水量を求める基準水量演算部と、求められた基準水位水量を予めメモリに記憶されている浴槽底面から基準水位までの高さで割って浴槽の開口面積を求め、この開口面積に予め与えられた基準水位からの複数段の各高さを掛けて複数段の設定水位に対応する水量を算出記憶する設定水位水量自動設定部とを有することを特徴として構成されている。
【００１７】
さらに、第２の発明は、前記第１の発明の構成を備えたものに、設定水位を変更するための設定水位変更指令入力部が設けられ、設定水位を指定してその指定された設定水位に達するまで湯張りがされて追い焚き又は保温のモードに移行した状態で、設定水位変更指令入力部から設定水位の変更指令が加えられて、変更したい設定水位の段が入力されたときには、現に湯張りされた設定水位水量を変更したい設定水位段の設定水位水量に変更し、他の段の設定水位水量も水位段の水位変更に応じた変更水位量だけ増減して設定水位水量自動設定部に記憶されている各段の設定水位の設定水位水量を書き換える設定水位変更部が設けられていることを特徴として構成されている。
【００１８】
上記構成の第１の発明では、記憶モードでの湯張り動作に際し、断続的な単位水量の湯水の落とし込み毎に循環ポンプが起動され、追い焚き循環路の湯水循環の有無が検知される。そして、最初に湯水循環が検知されたときに、湯水の落とし込み開始時からの積算流量が積算流量演算部から与えられる。この積算流量に基づいて浴槽底面から追い焚き循環口までの基準水位の水量が基準水量演算部により求められる。
【００１９】
そして、この基準水位水量を基準水位までの高さ（配管施工図面により与えられる浴槽底面から追い焚き循環路の循環口センタまでの高さ）で割り算することにより浴槽の開口面積が求められる。次に、この開口面積に予め与えられた基準水位からの複数段の各高さを掛け算することにより、基準水位からの各段の設定水位の高さに対応する設定水位水量が算出記憶され、器具自身により、各段の設定水位が基準水位からの水量の値で与えられる。
【００２０】
したがって、本発明では、各段の設定水位を指定して、その設定水位の湯張りを行うことにより、浴槽の大きさ如何にかかわらず、基準水位からの高さは等しくなり、浴槽の大きさによって湯張り水位が変動するということはなくなる。
【００２２】
さらに、第２の発明では、実行モードでの湯張りを行った結果、追い焚き循環路の循環口が施工図面で指定された浴槽底面からの高さ位置に接続されずに多少上下にずれて接続されたために、意図する水位よりも上下にずれて湯が張られたときには、設定水位変更部を操作してその張られた水位の設定水位の段を意図する設定水位の段に変更することにより、他の段の設定水位もその変更量に応じて自動的に修正変更されることとなる。これにより、意図する設定水位と実際に張られる水位との整合性の崩れが修正される。
【００２３】
【発明の実施の形態】
以下、本発明の実施形態例を図面に基づいて説明する。本実施形態例の湯張り機能付給湯器のシステムは前記図９に示すものと同様であり、従来例と同一の名称部分には同一符号を付し、その重複説明は省略する。
【００２４】
本実施形態例において特徴的なことは、制御装置34とリモコン35の制御系に特有な構成を付加したことである。この本実施形態例の制御系の特有な構成は、図１に示すように、湯水循環検知部25と、積算流量演算部26と、記憶モードの動作部（動作制御部）27と、実行モードの動作部（動作制御部）28と、循環口下部水位水量設定部29と、基準水量演算部30と、設定水位水量自動設定部31と、設定水位変更部32とを有して構成されている。
【００２５】
記憶モードの動作制御部27は、湯張りの条件データを作製記憶する動作を行う湯張りのシーケンスプログラムをもち、このシーケンスプログラムに従い、記憶モードの湯張りの動作を制御する。実行モードの動作制御部28は、前記記憶モードの動作によって作製記憶された湯張りの条件データを用いて、実際の湯張りを行うシーケンスプログラムを内蔵し、このシーケンスプログラムに従い、実際に湯張りを行う実行モードでの湯張り動作を制御する。
【００２６】
積算流量演算部26は、流量検出センサ19によって検出される湯張りの検出流量を積算し、断続の浴槽への落とし込み水量および湯張り開始時からのトータル積算流量を演算する。湯水循環検知部25は、記憶モードの動作および実行モードの動作において、浴槽１に湯水が断続的に落とし込まれた後に、循環ポンプ18を短時間駆動し、流水検出センサとして機能する追い焚き流水スイッチ16の信号をモニタし、湯水循環の有無を検知する。すなわち、給湯熱交換器５側から所定の湯水が落とし込まれた後、循環ポンプ18を起動し、追い焚き流水スイッチ16から流水検知のオン信号を受けたときに、湯水の循環がされたものと検知し、追い焚き流水スイッチ16からオフ信号が出力されているときには、追い焚き循環路14に湯水は循環されていないものと検知する。そして、この湯水循環の検知結果は基準水量演算部30に加えられる。
【００２７】
基準水量演算部30は、記憶モードでの動作時に、浴槽１の底面から追い焚き循環路14の循環口のセンタ（中心）の基準水位までの水量を演算により求め、その求めた基準水位の水量をメモリに記憶する。
【００２８】
この基準水量演算部による基準水位水量の算出手法は次のようにして行われる。記憶モードでの湯張り動作では、その動作制御部27により、図２に示す如く、最初にａリットルの呼び水が浴槽１に落とし込まれ、次に、単位水量のｂリットルの湯水が断続的に落とし込まれていき、これら呼び水や単位水量の湯水が落とし込まれる毎に、湯水循環検知部25により、追い焚き循環路14の湯水循環の有無の検知が行われる。そして、循環金具２を越えたＨ0 の水位に達したときに、湯水循環検知部25により湯水の検知がされることとなる。その一方で、積算流量演算部26により、浴槽１への落とし込み開始時から追い焚き流水スイッチ16がオンする水位Ｈ0 までの水量Ｑa が求められる。
【００２９】
基準水量演算部30はこの水量（最初に湯水循環が検知されたときまでの積算水量）Ｑa を用いて基準水位水量Ｑc をＱc ＝Ｑa −ｂＫの演算により求める。ここで、Ｋは定数であり、浴槽の大きさ（Ｑa の大きさ）に応じた値が予め実験等により求めて与えられる。次に、基準水量演算部30はＱc を浴槽底面から循環口センタまでの高さ（基準水位）Ｈc で割り算して浴槽１の開口面積Ｓを求める。Ｈc の値としては配管施工図で設定される追い焚き循環口センタの高さ（浴槽底面からの高さ）の値が用いられる。
【００３０】
実際の浴槽１は、浴槽側壁が上広がりになっているために、浴槽底面からの高さによって開口面積が異なるが、本実施形態例では、計算を簡単にするために、浴槽側壁は浴槽底面から垂直な壁面であると仮定して計算処理を行っている。基準水量演算部30は演算により求めた追い焚き流水スイッチ16が最初にオンする水位水量Ｑa と基準水位水量Ｑc と開口面積Ｓの値をメモリに記憶する。もちろん、このメモリには追い焚き循環路14の循環口のセンタの高さＨc の値が予め記憶されている。
【００３１】
設定水位水量自動設定部31は、浴槽１の追い焚き循環口のセンタ位置、つまり、浴槽底面から循環口センタの水位Ｈc を基準水位とし、図３に示すように、この基準水位からの各段の水位Ｈ1 〜Ｈ5 の値と、前記浴槽１の開口面積Ｓを掛け算して、各段の水位水量Ｑ1 〜Ｑ5 を求める。本実施形態例では、Ｈ1 の値として10cmが与えられており、Ｈ2 はさらに５cm高い15cmの値として与えられており、以下、同様に、５cmずつ高さを等分に高くしてＨ3 ＝20cm，Ｈ4 ＝25cm，Ｈ5 ＝30cmという如く与えられている。この演算により、第１段の水位Ｈ1 の水位水量Ｑ1 はＳ・Ｈ1 として求められ、同様に、Ｈ2 〜Ｈ5 の各水位水量Ｑ2 〜Ｑ5 は、Ｓ・Ｈ2 〜Ｓ・Ｈ5 として求められ、各段の水位Ｈ1 〜Ｈ5 に対応する水位水量Ｑ1 〜Ｑ5 がメモリに記憶される。
【００３２】
循環口下部水位水量設定部29は、記憶モードの湯張り動作時に、湯水循環検知部25により、最初に湯水循環が検知されたときの水量Ｑa から、断続落とし込みの単位水量のｂリットル差し引いた水量Ｑb を追い焚き流水スイッチ16がオンする一歩手前の循環口下部水位水量として求めてこれをメモリに記憶する。
【００３３】
リモコン35には、例えば、図４に示すように、記憶モードの動作を指令する記憶モードボタン36と、実行モードの動作を指令する実行モードボタン37と、湯張りの自動運転を指令する自動ボタン38と、給湯の設定温度を操作入力する給湯温度設定ボタン39と、設定した給湯の設定温度を表示する給湯設定温度表示部40と、風呂温度を設定する風呂温度設定ボタン41と、この設定された風呂温度を表示する風呂設定温度表示部44と、湯張り水位を選択設定する水位設定ボタン45と、この設定された浴槽水位を表示する水位表示部46と、前記設定水位水量自動設定部31のメモリに書き込み記憶されている各段の設定水位に対する設定水位水量Ｑ1 〜Ｑ5 の値を変更指令する設定水位変更指令入力部としての水位データ変更ボタン47と、エラーその他の情報を表示する情報表示部48とが設けられている。なお、リモコン35には、その他必要に応じ、例えば、高温差し湯、排水、追い焚き、保温等の動作を行わせる動作指令ボタンや、出湯温度センサ43で検出される出湯温度等の表示部が設けられる。
【００３４】
設定水位変更部32は、前記リモコン35の水位データ変更ボタン47のボタン操作により水位変更指令が加えられたときに、実行モードでの湯張り動作が終了して追い焚き動作又は保温動作に移行している状態であることが確認されたときに、設定水位水量自動設定部31のメモリに記憶されている各段の設定水位と設定水位水量との関係データを変更する。この設定水位水量自動設定部31のメモリに記憶されている設定水位と設定水位水量との関係データは図５に示すように表される。このグラフの横軸のＱc は基準水位水量を示しており、Ｑ1 〜Ｑ5 は循環口センタからの各段の設定水位Ｈ1 〜Ｈ5 に対応する設定水位水量を示している。本実施形態例では、第１段以降の各段の設定水位は５cm刻みになっている関係上、各段間の設定水位水量も５Ｓ（Ｓは浴槽の開口面積）刻みとなっており、各段の設定水位とそれに対応する設定水位水量との関係グラフは直線のグラフとして作製記憶されている。
【００３５】
設定水位データの変更は、一般的には、追い焚き循環路14の浴槽１に対する接続位置が配管施工図面の指定値から上下にずれた場合に行われる。例えば、追い焚き循環路の循環口が設計値（指定値）よりも下側に接続されると、浴槽底面から循環口センタまでの基準水位水量も小さくなり、したがって、これを浴槽底面から循環口センタまでの設計上の高さの値で割り算して得られる浴槽の開口面積も小さな値となり、この開口面積に５cm刻みで掛け算して求められる各段の設定水位水量も小さな値となる。
【００３６】
このような関係データの下で、例えば、設定水位の段数が３に指定されて（設定水位Ｈ3 が指定されて）湯張りが行われると、循環口が正しい位置に接続されている場合には、図６の実線で示すように、Ｑc ＋Ｑ3 の本来の水量が浴槽に落とし込まれて本来の設定水位３のレベルまで湯が張られるのであるが、前記の如く、循環口が下側にずれて接続されると、Ｑc とＱ3 が共に小さな値になるので、実際に湯張りされた水位は本来の設定水位３のレベルにならずに設定水位２のレベルになってしまう。
【００３７】
このときに、使用者により、リモコン35の水位データ変更ボタン47が操作されて、水位変更の指令が加えられる。この指令を受けたときに、設定水位変更部32は、リモコン35の水位設定ボタン45により、変更したい水位の段数の入力を待ち、実際に張られている設定水位Ｑ3 をその入力された段数の設定水位水量に変更する。
【００３８】
図６の例では、実際に張られた水位水量Ｑ3 は、３段の水位レベルから２段の水位レベルに変更され、２段の設定水位の水位レベルがＱ3 として書き換えられる。これに合わせて、同じ量の差し引き量だけ、他の段の設定水位水量も変更され、この例では、設定水位３の水位水量はＱ4 に、設定水位４の水位水量はＱ5 に、設定水位５の水位水量はＱ5 に水位５cm分の水量である５Ｓの水量を上乗せしたＱ5 ＋５Ｓの値が新しい設定水位５の水位水量として更新される。なお、追い焚き循環路の循環口が設計位置よりも上側にずれて接続された場合には、その逆に、各段の設定水位の水位水量が小さくなる方向に書き換え更新されることとなる。つまり、設定水位の変更が行われることにより、図６の破線に示す如く、循環口下部水位水量Ｑb から先のグラフデータの直線の傾きが変更される。
【００３９】
前記実行モードの動作制御部28には、水量比較湯張り制御手段49が設けられている。この水量比較湯張り制御手段49は、実行モードでの湯張りを行う場合に、循環口よりも下側に残水があって、その状態から湯張りを行う場合においても、浴槽を溢れさせることなく湯張りを行うように湯の落とし込みを制御するもので、その制御に必要な水量比較部と演算部を内蔵している。
【００４０】
すなわち、水量比較湯張り制御手段は、最初に、呼び水ａリットルが浴槽１に落とし込まれて、湯水循環検知部25の湯水循環有無の判断により浴槽湯水の循環が検知されないことを確認したときに、前記循環口下部水位水量設定部29で設定された循環口下部水位水量Ｑb と、最初に湯水循環が検知されたときまでの積算水量Ｑa から設定水位に至る設定水位側水量とを比較し、まず、小さい方の水量を浴槽に落とし込む。
【００４１】
そして、指定された設定水位を目がけて湯張りを制御する。
【００４２】
本実施形態例は上記のように構成されており、次に、フローチャートに基づき、本実施形態例の器具の動作を説明する。図７は記憶モードの動作を示すもので、ステップ１０１で自動スイッチ（自動ボタン）がオンされると、呼び水のａリットルの注湯が行われる。そして、循環ポンプ１８の起動が短時間行われ、追い焚き流水スイッチ１６がオンしたか否かの判断が行われる。
【００４３】
記憶モードの動作は、通常、器具が設置施工された試運転時に行われるので、浴槽１が空の状態で湯張りが開始されるものであるため、呼び水を注湯しただけでは、追い焚き流水スイッチがオンすることはあり得ないので、追い焚き流水スイッチ16がオンしたときには、リモコン35の情報表示部48等にエラーが表示される。ステップ104 で追い焚き流水スイッチがオフであるときには、循環ポンプ18を停止して単位水量のｂリットルの注湯が行われる。
【００４４】
この注湯後、再び循環ポンプ18を起動して追い焚き流水スイッチ16がオンするか否かの判断が湯水循環検知部25により行われる。追い焚き流水スイッチがオンしないときには再びｂリットルの単位水量が注湯され、この繰り返しにより、追い焚き流水スイッチがオンするまで単位水量ｂリットルの注湯が断続して繰り返し行われ、その一方で、積算流量演算部26により、注湯開始時からの注湯の積算流量が求められる。ステップ108 で追い焚き流水スイッチがオンしたときに、ステップ109 で、最初に追い焚き流水スイッチがオンしたときまでに注湯された積算流量Ｑa から基準水位水量Ｑc を求めて記憶し、次に、浴槽１の開口面積Ｓが求められる。そして続いて、各段の設定水位水量Ｑ1 〜Ｑ5 が設定水位水量自動設定部31により求められる。
【００４５】
このようにして、湯張りの条件データが記憶された後、ステップ110 で、リモコン35で指定されている設定水位までの注湯が行われる。次に、ステップ111 で循環ポンプ18を起動し、浴槽湯水を追い焚き循環路14を介して循環させて浴槽湯水の撹拌を行い、風呂温度センサ９により浴槽湯水の温度を検出する。次のステップ112 では、検出温度が風呂の設定温度以上か否かが判断され、検出温度が風呂設定温度以上のときには沸き上げブザーを鳴らして記憶モードの動作を終了する。検出温度が風呂設定温度よりも低いときにはステップ113 で追い焚きを行い、検出温度が風呂設定温度以上となったときに、沸き上げブザーを鳴らして記憶モードの湯張り動作を終了する。
【００４６】
この記憶モードでの湯張り動作により、浴槽開口面積Ｓと、基準水位水量Ｑc と、循環口下部水位水量Ｑb と、各段の設定水位Ｈ1 〜Ｈ5 に対応する設定水位水量Ｑ1 〜Ｑ5 が求められ、これらのデータがメモリに格納されて、図５に示すような湯張り条件データが器具自身により作製されて記憶されることとなる。
【００４７】
そして、前記記憶モードの湯張り動作によって作製記憶された湯張り条件データを用いて、実行モードでの湯張りが行われる。
【００５４】
本実施形態例によれば、記憶モードでの湯張り動作により、追い焚き流水スイッチ16が最初にオンしたときの湯張り開始時からの注湯量Ｑa に基づいて基準水位水量Ｑc および浴槽の開口面積Ｓが求められるので、これらの基準水位水量と浴槽開口面積は浴槽の大きさに適合した値として求められることとなり、この浴槽の大きさに適合した浴槽開口面積に予め与えられた各段の設定水位Ｈ1 〜Ｈ5 を掛け算して各段の設定水位水量Ｑ1 〜Ｑ5 が求められるので、浴槽の大きさに合った設定水位量が設定できると共に、基準水位から予め定めた適切な水位刻みによって設定水位水量が設定できるため、浴槽の大きさ如何にかかわらず、設定水位を指定して、湯張りを行うことにより、意図した水位でもって湯張りを行うことができ、従来例のように、水位の刻みが例えば30リットルという如く、一律の水量によって与えられることによって、大きな浴槽の場合には意図した水位よりも低めに湯が張られ、小型の浴槽の場合には高めに湯が張られるという問題を防止できる。
【００５５】
しかも、本実施形態例では、たとえ、追い焚き循環路の接続循環口が浴槽底面から指定された高さに取り付けられずに、上下にずれて取り付けられた場合においても、実行モードでの湯張り後、その循環口の上下のずれに起因して、意図した水位よりも実際に張られた湯の水位が上下にずれている場合には、使用者がリモコン35側で、水位データ変更ボタン47を操作し、意図する設定水位の段を入力することにより、設定水位変更部32により、現に張られた水位をその入力した段の設定水位に変更でき、併せて、他の段の設定水位も同じ量だけ増減修正されて変更されるため、次の湯張りからは、追い焚き循環口の取り付け位置のずれの影響を受けることなく正しい意図した水位に湯を張ることができるという画期的な効果を奏することができる。
【００５６】
さらに、本実施形態例では、水量比較湯張り制御手段49を設けたことで、たとえ、浴槽内に循環口下部水位水量Ｑb に近い残水がある状態で湯張りが行われても、湯が浴槽から溢れ出すということがなく、これにより湯の無駄な落とし込みを防止でき、経済的にも有利である。
【００５７】
なお、本発明は上記実施形態例に限定されることはなく、様々な実施の形態を採り得る。例えば、上記実施形態例では、各段の設定水位水量Ｑ1 〜Ｑ5 を求める場合、浴槽の開口面積Ｓは浴槽の高さにかかわらず一定の値として求めたが、浴槽側壁が上広がりの実際の形状により適合するように、例えば、第１段の設定水位水量Ｑ1 はＳ・Ｈ1 として求め、第２の段の設定水位水量Ｑ2 はμ2 ・Ｓ・Ｈ2 、第３段の設定水位水量Ｑ3 はμ3 ・Ｓ・Ｈ3 という如く、補正係数μを掛けるか、あるいは補正水量を加算する等して、上広がりの実際の浴槽により適合するように各段の設定水位水量を求めることが可能である。
【００５８】
また、上記実施形態例では、追い焚き循環路14に追い焚き熱交換器７が設けられているが、この追い焚き熱交換器７は省略される場合もある。追い焚き熱交換器７が省略される場合には、給湯熱交換器５側から高温の差し湯を浴槽に落とし込むことにより、追い焚きを行うこととなる。
【００５９】
【発明の効果】
本発明は、記憶モードの湯張り動作時に、追い焚き循環路に浴槽湯水が最初に循環するときの水位水量を検知し、この水位水量に基づき、追い焚き循環路の循環口のセンタの基準水位の水量を求め、この基準水位水量と浴槽底面から循環口センタまでの高さにより、浴槽の開口面積を求め、その開口面積に予め与えられた基準水位からの各段の高さを掛け算して複数段の設定水位水量を算出記憶するように構成したものであるから、浴槽の大きさに適合した複数段の設定水位水量が器具自身により自動設定されることとなり、これにより、浴槽の大きさによって意図した水位よりも低めあるいは高めに湯が張られ、極端な場合には、湯が溢れるという従来の問題を確実に防止でき、浴槽の大小にかかわらず、指定した水位に正しく湯を張ることが可能となる。
【００６０】
また、追い焚き循環路の循環口の接続位置が設定位置から上下にずれて接続されたとしても設定水位変更指令入力部から、設定水位の変更指令を加え、設定水位変更部により、記憶されている各段の設定水位と、それに対応する設定水位水量との関係データを正しく変更できるように構成したものであるから、追い焚き循環路の循環口の接続位置のずれに起因する湯張り水位の上下のずれを正しく修正して、意図した水位に湯を張ることができるという画期的な効果を奏することができる。
【図面の簡単な説明】
【図１】  本発明に係る湯張り機能付給湯器の一実施形態例の要部構成を示すブロック図である。
【図２】  同実施形態例における記憶モードの湯張り動作における基準水位水量の算出手法の説明図である。
【図３】  同実施形態例の記憶モードの動作による各段の設定水位水量の設定手法の説明図である。
【図４】  本実施形態例におけるリモコンの説明図である。
【図５】  本実施形態例における湯張り条件データのグラフである。
【図６】  本実施形態例における各段の設定水位の変更例の説明図である。
【図７】  本実施形態例における記憶モードの動作を示すフローチャートである。
【図８】  各段の湯張り水位設定の従来例の説明図である。
【図９】  湯張り機能付給湯器のシステム構成例の説明図である。
【符号の説明】
１  浴槽
１６  追い焚き流水スイッチ
１８  循環ポンプ
１９  流量検出センサ
２５  湯水循環検知部
２６  積算流量演算部
２９  循環口下部水位水量設定部
３０  基準水量演算部
３１  設定水位水量自動設定部
３２  設定水位変更部
【図１】
0003908290.tif 000002
【図２】
0003908290.tif 000003
【図３】
0003908290.tif 000004
【図４】
0003908290.tif 000005
【図７】
0003908290.tif 000006
【図５】
0003908290.tif 000007
【図６】
0003908290.tif 000008
【図８】
0003908290.tif 000009
【図９】
0003908290.tif 000010